【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
通信システムにおける第１トランシーバーと第２トランシーバーとの間の制御チャネル構成方法において、
前記第１トランシーバーがリソースブロック情報及び基準信号に関する情報を含む制御チャネルの情報を含むシグナリングメッセージを生成するステップと、
前記第１トランシーバーが前記制御チャネルの情報を含むシグナリングメッセージを前記第２トランシーバーに送信するステップと、
前記第１トランシーバーが前記制御チャネルの情報に基づいて制御チャネル及び基準信号を生成するステップと、
前記第１トランシーバーが前記リソースブロック情報に基づいて生成された前記制御チャネル及び前記基準信号を前記第２トランシーバーに送信するステップと、を含み、
前記制御チャネルの情報は、前記リソースブロック情報を指示するリソース割当情報を含む方法。
【請求項２】
前記リソース割当情報は、前記第２トランシーバーが制御チャネルの復調を試みるリソース領域を指示する情報を含むことを特徴とする請求項１に記載の方法。
【請求項３】
前記リソース割当情報は、リソース割当がｌｏｃａｌｉｚｅｄタイプまたはｄｉｓｔｒｉｂｕｔｅｄタイプであることを指示する情報を含むことを特徴とする請求項１に記載の方法。
【請求項４】
前記制御チャネルの情報は、インターリービングが適用されたか否かを指示する情報を含むことを特徴とする請求項１に記載の方法。
【請求項５】
インターリービングが適用された場合、前記基準信号はＣＲＳであり、
インターリービングが適用されなかった場合、前記基準信号はＣＲＳまたはＤＭＲＳであることを特徴とする請求項４に記載の方法。
【請求項６】
前記リソース割当情報が少なくとも二つの第２トランシーバーで同一であれば、インターリービングが適用されたか否か及び前記基準信号は、前記少なくとも二つの第２トランシーバーで同一であることを特徴とする請求項４に記載の方法。
【請求項７】
前記制御チャネルの情報は、前記制御チャネルのサブフレームと関連した情報を含むことを特徴とする請求項１に記載の方法。
【請求項８】
前記インターリービングは、ＲＥＧレベルまたはＣＣＥレベルまたはＲＢレベルのインターリービングであることを特徴とする請求項４に記載の方法。
【請求項９】
前記リソース割当情報のｓｅａｒｃｈ  ｓｐａｃｅは固有領域であり、前記リソース割当情報のｓｅａｒｃｈ  ｓｐａｃｅは前記第２トランシーバーに依存することを特徴とする請求項１に記載の方法。
【請求項１０】
通信システムにおける第１トランシーバーと第２トランシーバーとの間の制御チャネル構成方法において、
前記第２トランシーバーがリソースブロック情報及び基準信号に関する情報を含む制御チャネルの情報を含むシグナリングメッセージを受信するステップと、
前記第２トランシーバーが前記シグナリングメッセージに基づいて前記制御チャネルの情報を識別するステップと、
前記第２トランシーバーが前記シグナリングメッセージに基づいて制御チャネルのための情報を受信するステップと、を含み、
前記制御チャネルの情報は、前記リソースブロック情報を指示するリソース割当情報を含む方法。
【請求項１１】
前記リソース割当情報は、前記第２トランシーバーが制御チャネルの復調を試みるリソース領域を指示する情報を含むことを特徴とする請求項１０に記載の方法。
【請求項１２】
前記リソース割当情報は、リソース割当がｌｏｃａｌｉｚｅｄタイプまたはｄｉｓｔｒｉｂｕｔｅｄタイプであることを指示する情報を含むことを特徴とする請求項１０に記載の方法。
【請求項１３】
前記制御チャネルの情報は、インターリービングが適用されたか否かを指示する情報を含むことを特徴とする請求項１０に記載の方法。
【請求項１４】
インターリービングが適用された場合、前記基準信号はＣＲＳであり、
インターリービングが適用されなかった場合、前記基準信号はＣＲＳまたはＤＭＲＳであることを特徴とする請求項１３に記載の方法。
【請求項１５】
前記リソース割当情報が少なくとも二つの第２トランシーバーで同一であれば、インターリービングが適用されたか否か及び前記基準信号は、前記少なくとも二つの第２トランシーバーで同一であることを特徴とする請求項１３に記載の方法。
【請求項１６】
前記制御チャネルの情報は、前記制御チャネルのサブフレームと関連した情報を含むことを特徴とする請求項１０に記載の方法。
【請求項１７】
前記インターリービングは、ＲＥＧレベルまたはＣＣＥレベルまたはＲＢレベルのインターリービングであることを特徴とする請求項１３に記載の方法。
【請求項１８】
前記リソース割当情報のｓｅａｒｃｈ  ｓｐａｃｅは固有領域であり、前記リソース割当情報のｓｅａｒｃｈ  ｓｐａｃｅは前記第２トランシーバーに依存することを特徴とする請求項１０に記載の方法。
【請求項１９】
通信システムで第１トランシーバーと第２トランシーバーとの間の制御チャネルを構成するための第１トランシーバーの装置において、
リソースブロック情報及び基準信号に関する情報を含む制御チャネルの情報を含むシグナリングメッセージを生成する上位シグナリング生成器と、
前記制御チャネルの情報を含むシグナリングメッセージを前記第２トランシーバーに送信するデータチャネル生成器と、
前記制御チャネルの情報に基づいて制御チャネル及び基準信号を生成する制御チャネル信号生成器と、
前記リソースブロック情報に基づいて生成された前記制御チャネル及び前記基準信号を前記第２トランシーバーに送信する制御チャネル生成器と、を含み、
前記制御チャネルの情報は、前記リソースブロック情報を指示するリソース割当情報を含む装置。
【請求項２０】
前記リソース割当情報は、前記第２トランシーバーが制御チャネルの復調を試みるリソース領域を指示する情報を含むことを特徴とする請求項１９に記載の装置。
【請求項２１】
前記リソース割当情報は、リソース割当がｌｏｃａｌｉｚｅｄタイプまたはｄｉｓｔｒｉｂｕｔｅｄタイプであることを指示する情報を含むことを特徴とする請求項１９に記載の装置。
【請求項２２】
前記制御チャネルの情報は、インターリービングが適用されたか否かを指示する情報を含むことを特徴とする請求項１９に記載の装置。
【請求項２３】
インターリービングが適用された場合、前記基準信号はＣＲＳであり、
インターリービングが適用されなかった場合、前記基準信号はＣＲＳまたはＤＭＲＳであることを特徴とする請求項２２に記載の装置。
【請求項２４】
前記リソース割当情報が少なくとも二つの第２トランシーバーで同一であれば、インターリービングが適用されたか否か及び前記基準信号は、前記少なくとも二つの第２トランシーバーで同一であることを特徴とする請求項２２に記載の装置。
【請求項２５】
前記制御チャネルの情報は、前記制御チャネルのサブフレームと関連した情報を含むことを特徴とする請求項１９に記載の装置。
【請求項２６】
前記インターリービングは、ＲＥＧレベルまたはＣＣＥレベルまたはＲＢレベルのインターリービングであることを特徴とする請求項２２に記載の装置。
【請求項２７】
前記リソース割当情報のｓｅａｒｃｈ  ｓｐａｃｅは固有領域であり、前記リソース割当情報のｓｅａｒｃｈ  ｓｐａｃｅは前記第２トランシーバーに依存することを特徴とする請求項１９に記載の装置。
【請求項２８】
通信システムで第１トランシーバーと第２トランシーバーとの間の制御チャネルを構成する第２トランシーバーの装置において、
リソースブロック情報及び基準信号に関する情報を含む制御チャネルの情報を含むシグナリングメッセージを受信するデータチャネル受信機と、
前記シグナリングメッセージに基づいて前記制御チャネルの情報を識別する制御器と、
前記シグナリングメッセージに基づいて制御チャネルのための情報を受信する制御チャネル受信機と、を含み、
前記制御チャネルの情報は、前記リソースブロック情報を指示するリソース割当情報を含む装置。
【請求項２９】
前記リソース割当情報は、前記第２トランシーバーが制御チャネルの復調を試みるリソース領域を指示する情報を含むことを特徴とする請求項２８に記載の装置。
【請求項３０】
前記リソース割当情報は、リソース割当がｌｏｃａｌｉｚｅｄタイプまたはｄｉｓｔｒｉｂｕｔｅｄタイプであることを指示する情報を含むことを特徴とする請求項２８に記載の装置。
【請求項３１】
前記制御チャネルの情報は、インターリービングが適用されたか否かを指示する情報を含むことを特徴とする請求項２８に記載の装置。
【請求項３２】
インターリービングが適用された場合、前記基準信号はＣＲＳであり、
インターリービングが適用されなかった場合、前記基準信号はＣＲＳまたはＤＭＲＳであることを特徴とする請求項３１に記載の装置。
【請求項３３】
前記リソース割当情報が少なくとも二つの第２トランシーバーで同一であれば、インターリービングが適用されたか否か及び前記基準信号は、前記少なくとも二つの第２トランシーバーで同一であることを特徴とする請求項３１に記載の装置。
【請求項３４】
前記制御チャネルの情報は、前記制御チャネルのサブフレームと関連した情報を含むことを特徴とする請求項２８に記載の装置。
【請求項３５】
前記インターリービングは、ＲＥＧレベルまたはＣＣＥレベルまたはＲＢレベルのインターリービングであることを特徴とする請求項３１に記載の装置。
【請求項３６】
前記リソース割当情報のｓｅａｒｃｈ  ｓｐａｃｅは固有領域であり、前記リソース割当情報のｓｅａｒｃｈ  ｓｐａｃｅは前記第２トランシーバーに依存することを特徴とする請求項２８に記載の装置。